(57)【要約】本発明は、包囲用および標識用組立てフェンスに関する。フェンスは、プラスチック材料で製造されるのが好ましく、屋内と屋外との両方において使用できる。本発明に係るフェンスは最高度の安定性を有し、使用しない場合は容易に積み重ねることができ、囲い又は標識の部分を形成する他のモジュール又はフェンスと容易に結合することができる。フェンスは、歩道に向かって本質的に平坦な垂直面を備えている。これにより、事故の原因となり得る障害を防止できる。さらに、フェンスは、同一の光を反射し、そこに設けられる情報や広告に歩行者の注意を引き付けるための照明装置を備えている。【特許請求の範囲】
【請求項１】
包囲用および標識用組立てフェンスにおいて、
正面部品と背面部品との２つの別個の部品から構成され、
上記部品は互いに分離可能に固定され、
上記背面部品は、上記正面部品よりも若干高く、
上記正面部品は、面上で支持するための一組の脚として下部から伸びる２つの突起を有し、
上記背面部品は、上記正面部品の上記脚に対して唯一の中心脚となることを特徴とする組立てフェンス。
【請求項２】
上記正面部品と上記背面部品とが互いに組み合わされると、上記正面部品は垂直であり、上記背面部品は上記正面部品に対して若干傾斜することを特徴とする請求項１に記載の組立てフェンス。
【請求項３】
上記部品の少なくとも一方は、上記部品の他方と蝶つがいに連結される端部に合致する少なくとも１つの横の大入れを上部の横木に備え、
当該大入れには、さね及びネジ溝が設けられ、
当該さね及びネジ溝は、上記部品の他方の上辺から突出する補助突起と組み合わされ、
さらに、上記部品の両方の横木には、上記部品を組み合わせるための取り付けボルトを差し込むための、上記部品間で対向する縦の開口部が設けられることを特徴とする請求項１または２に記載の組立てフェンス。
【請求項４】
上記部品の少なくとも一方は、側面の少なくとも一方の上端に、内部に直角に湾曲するブラケットを有し、当該ブラケットは、２つの上記部品によって形成される２面角の隔板および補強材として機能することを特徴とする請求項１〜３のいずれか１項に記載の組立てフェンス。
【請求項５】
上記正面部品は、矩形の輪郭を備え、
当該輪郭は、上記脚を形成する上記下部突起を有することを特徴とする請求項１〜４のいずれか１項に記載の組立てフェンス。
【請求項６】
上記背面部品は、反転した等脚台形の形状であり、当該形状は、第３の足を形成する底辺を有することを特徴とする請求項１〜５のいずれか１項に記載の組立てフェンス。
【請求項７】
上記正面部品は、側面の一方に、その面から外側に突出する弾力性のある留め具を少なくとも１つ備えており、
さらに、上記正面部品は、上記側面と反対側の面に、かなり細長い垂直の棒を備えており、
一方のフェンスの止め具を、当該フェンスと隣接するフェンスの上記棒に嵌めることができるように、当該棒は、適当に配置された隔板によって上記正面部品から隔てられていることを特徴とする請求項１〜６のいずれか１項に記載の組立てフェンス。
【請求項８】
上記留め具は、テーパー状の隙間を有する枠を形成する２つの腕を備えており、
隣り合ったフェンス同士の高さを調節できるだけでなく、平坦でない地形においてフェンス間又はモジュール間の角度を変えることができるように、上記枠には縦溝が付いていることを特徴とする請求項７に記載の組立てフェンス。
【請求項９】
上部横木と隣り合う上記正面部品に、少なくとも１つのハウジングが設けられ、
当該ハウジングは、少なくとも１つの小さな穴を有しており、
当該穴には、電子掲示板によって制御される少なくとも１つの照明装置が設けられることを特徴とする請求項１〜８のいずれか１項に記載の組立てフェンス。
【請求項１０】
上記照明装置は、少なくとも１つのＬＥＤから構成されることを特徴とする請求項９に記載の組立てフェンス。
【請求項１１】
上記照明装置は、少なくとも１つのバッテリーによって給電されることを特徴とする請求項９に記載の組立てフェンス。
【請求項１２】
上記バッテリーは、上記ハウジングに格納されることを特徴とする請求項１１に記載の組立てフェンス。
【請求項１３】
上記照明装置は、存在する周囲の光が十分であるかを検出するセンサを有していることを特徴とする請求項９に記載の組立てフェンス。
【請求項１４】
上記正面部品の脚は、風圧に対する上記フェンスの安定性を高める外部突起を底部に有していることを特徴とする請求項１〜１３のいずれか１項に記載の組立てフェンス。
【請求項１５】
上記２つの部品は、表面に空気を通す大きな穴を有する網目構造を備えていることを特徴とする請求項１〜１４のいずれか１項に記載の組立てフェンス。
【請求項１６】
上記部品は、いずれも外面に水平突起を備え、
当該水平突起は、上記側面の一方から上記側面の他方に向かって上記外面に沿って設けられていることを特徴とする請求項１〜１５のいずれか１項に記載の組立てフェンス。
【請求項１７】
上記部品は、いずれも射出成形によって製造されることを特徴とする請求項１〜１６のいずれか１項に記載の組立てフェンス。
【請求項１８】
上記部品は、いずれもプラスチック材料から製造されることを特徴とする請求項１〜１７のいずれか１項に記載の組立てフェンス。
【発明の詳細な説明】
【発明の詳細な説明】
【０００１】
〔発明の目的〕
本発明は、包囲、表示、道路標識、または他の同様の設備のためのモジュールとして認識されているフェンスに関する。
【０００２】
〔発明の背景〕
本発明の実用化の範囲では、組立てフェンスは、本来プラスチックの材料から製造され、主として以下のような観点を中心とする明白で様々な欠点を有しているものと考えられている。
・フェンスは、歩道に突出し、歩行を妨げ、ひょっとしたら歩行者の通行において障害や些細な事故を引き起こす要素を有している。
・フェンスの構造を補強しフェンスにかかる負荷を支えるために、一般に、フェンスには金属の部品が組み込まれている。
・組み込まれた金属部品によって結合しているため、フェンスは通常、いくらかの負荷を受けるように、持続的な緊張を受けている。
・フェンス間の連結構造は、一般に、障害物を克服するため、又は地形の傾斜に適合させるために限定されるため、様々なフェンスやモジュールを互いに連結し保持することは難しい。
・フェンスは、４つの支点を備えているため、通常設けられるような高低のある面にフェンスが設けられる場合、フェンスの位置が不安定になる。
・フェンスは組み立てられていない場合は、積み重ねることができないため、保管および輸送においてフェンスが占めるスペースが著しく増大する。
【０００３】
〔発明の説明〕
本発明によって提案されるフェンスは、検討された様々な点において、先に示した欠点を十分に満足すべき方法で解決する。
【０００４】
本発明の目的は、屋内と屋内との両方において区別なく使用することができ、最高度の安定を実現し、組み立てられていない場合は容易に積み重ねることができ、同様に、包囲や標識に使用される他のモジュールやフェンスと容易に連結することができ、歩道領域に向かって本質的に平坦で垂直な面を有し、事故の原因となり得る障害を防止し、フェンスに掲げられる情報や広告に歩行者の注意を引き付けるだけでなく、フェンス自体の認識を補助する点灯システムを備えた、プラスチック材料のみから製造される、軽く耐久性のあるフェンスを実現することである。
【０００５】
上記の目的のために、さらに具体的に言えば、上記フェンスは、好ましくは射出成形によって製造される２つの部品からなる。２つの部品は、上辺に沿って自由に分離可能な方法で、さね及びネジ溝を用いて、プラスチック材料からなる取り付けボルトによって、互いに固定される。２つの部品は、非対称な枝による反転Ｖ字型の側面を形成している。上記枝の一方は、他方よりもかなり短い。それにより、地面に置かれた場合、短い部品は垂直に設けられ、対応する外面に向かって突出する部分はない。
【０００６】
この垂直な部品は、当該部品の重量を軽くするため、本質的に矩形の枠である網目構造を有している。２つの下部脚は、外側に支持して伸びており、全体としてフェンスの安定性を高めている。一方、傾斜した部品は、反転した等脚台形であり、組立て品の第３の支持脚となる。この第２部品もまた、同様の目的で、網目構造を有している。
【０００７】
両方の部品間の固定された結合における安定性を高めるために、当該部品の一方、好ましくは傾斜した部品は、端面の一方に幅広い三角形のブラケットを有している。当該ブラケットは、隔板及び他の部品に対する取り付け手段として設けられる。これにより、上記部品によって反転した二面角への負担を回避できる。
【０００８】
上記部品の一方に設けられる２つの脚間の空間と、第２部品によって形成される脚とによって、フェンスは風圧に対して完全に安定する。また、網目構造が、フェンス本体を通る風の通路となることにより風圧を緩和している。
【０００９】
上記の構造を補助し、フェンス間またはモジュール間に取り付けのために、垂直な部品は、端面の一方に一組の弾力性のある留め具を備えており、これによりお互いの高さを十分に合わせることができる。反対の端部には、これらの留め具を取り付けるための補助の棒が、部品本体から十分な間隔を置いて設けられる。これにより、上記留め具を、所望の高さで、隣接したモジュールの棒に取り付けることができ、大きな段差といった地形の高低を克服することができる。同時に、上記部品は、上記棒にかなり隙間のある大入れを備えており、同様に、２つの隣り合うフェンス又はモジュールにおける傾斜の違いに合わせることができる。
【００１０】
上記フェンスの２面角の形状によって、数個のフェンスを十分に接触させて、フェンスを積み重ねることができる。これにより、保管または輸送時において、フェンスが占めるスペースを最小限に抑えることができる。フェンスの積み重ねと抜き取りとを容易にするため、フェンスを形成する２つの部品の外面には、水平突起が設けられる。１つのフェンスが他のフェンスに積み重ねられる場合、積み重ねられるフェンスの正面部品の脚は、その下方のフェンスの正面部品の水平突起の上に載る。背面部品の支持脚においても略同様である。
【００１１】
本発明の他の特徴によれば、上記部品の一方には、上部の横木が設けられる。当該横木は、当該部品の頂上の位置に設けられるのが好ましい。さらに、少なくとも１つ、好ましくは２つの小型のハウジング、及び長時間持続する標準的なバッテリーが設けられる。ハウジングは、上記バッテリーのメンテナンスに非常に便利である。上記バッテリーは、照明装置に給電する。当該照明装置は、発光ダイオードすなわちＬＥＤ、又はＬＥＤ群であることが好ましく、上記ハウジングの外壁の小さな穴に取り付けられる。上記照明装置は、センサを有している。当該センサは、周囲の光が十分な場合は消灯させる。すなわち、上記照明装置は、周囲の光が無い又は非常に小さい場合のみ点灯する。
【００１２】
上記照明装置は、正面反射器、バックカバー、フロントシールといった、上記フェンスに取り付けることができる他の部材から構成される。バックカバーは、照明装置を制御する電子掲示板を固定し、フロントシールは、種々の電気部品又は電子部品を外部要因から保護する。これらの部品によって、許可されていない作業者が照明装置を分解することはできなくなる。また、照明装置が一旦フェンスの対応するハウジングに組み込まれると、照明装置をどのような外部要因に対しても耐えられるようにすることができる。
【００１３】
閉まっていないフェンスの面は、反射型または逆反射型の標識を含む、あらゆる型の固定された又は取り外し可能な表示および／または標識の支持材として使用することができる。
【００１４】
〔本発明のより好ましい実施形態〕
検討された図面、特に図１によると、本発明によって提案されるフェンスが、２つの部品によってどのように形成されているかを理解できる。２つの部品は、正面部品１および背面部品２であり、当初は別個であるが、不変でない方法で互いに取り付けられる。すなわち、２つの部品は分解することができ、プラスチック射出成形によって製造されることが好ましい。２つの部品のうちの１つである正面部品１は、矩形枠３から形成されており、矩形枠３は、非常に耐久性があり軽量である網目構造４を取り囲んでいる。さらに、網目構造４は、空気を通すための最小限の仕切りを形成している。上記枠３では、下部において一組の末端の脚５が伸びている。脚５は、安定性を高めるために、外側に突き出す底部突起６を有している。それに対し、上部の横木７に横の大入れ８が設けられている。横木７には、さね及びネジ溝が設けられる。当該さね及びネジ溝は、他の部材である背面部品２の上辺１０から突出する補助部材９と組み合わされる。これらの部材は、最終的にボルト１１によって互いに固定される。また、ボルト１１もプラスチック製であることが好ましい。同時に、部品１の横木７の穴１２、および部品２の上部の横木１０の穴１３もプラスチック製であることが好ましい。
【００１５】
正面部品１と背面部品２とが組み立てられると、それらは鋭角の２面角を形成する。図７に示すように、正面部品１は垂直に配置される。一方、背面部品２は、正面部品１よりも脚が長いので、傾斜して配置される。さらに、上記２面角は、ブラケット１４の存在により固定される。ブラケット１４は、背面部品２の少なくとも一方の側面の上部端に設けられ、正面部品１と向かい合う位置を合わせる。これにより、正面部品１と背面部品２とが十分に固定される。
【００１６】
背面部品２は、一般に反転した等脚台形であり、底辺１５は、フェンスの第３の脚を形成している。また、背面部品２も、上述の構造４と同様の網目構造１６を有している。網目構造１６も、構造４と同様に、重量を最小にして、空気を通す大きな穴を備えつつ、構造強度を最大化するために設けられている。
【００１７】
正面部品１の上部の横木７の下部に設けられる少なくとも１つの小型のハウジング１７と、少なくとも１つの照明部材１９が嵌め込まれる少なくとも１つの穴１８とによって、上述の構造は補助される。また、照明部材１９は、ＬＥＤ又はＬＥＤ群であることが好ましく、長時間持続するバッテリーやバッテリー群によって給電される。バッテリーやバッテリー群は、好ましくは上記ハウジング１７に格納される。
【００１８】
フェンス間又はモジュール間の結合により、正面部品１は、その一方の端面に少なくとも１つの留め具２０を有している。図４に示すように、留め具２０は、２つの弾力性のある腕２１を有しており、腕２１は、テーパー状の隙間２３を有する細長い枠２２を形成している。これらの留め具は、相当の高さを持つ棒２４に取り付けられる。棒２４は、正面部品１の反対側の端に十分に固定され、隔板２５によって正面部品１から離れて設けられる。図５から理解できるように、当該棒２４の長さによって、フェンス又はモジュールが、地面の段差の存在による高さに相当程度調節することができる。さらに同時に、留め具２０の細長い枠２２によって、図６に示すように、隣り合うフェンスを、不規則な支持面に十分に安定して固定することができる。
【００１９】
一方、図７に示すように、二面角の形状と完全に開いたフェンスの内側とによって、他の同一のフェンスと積み重ねることができ、最小限のスペースしか必要としない。フェンスは、水平突起２７を有しており、突起２７は、フェンスを形成する２つの各部品１、２の外面の一方に設けられる。一方のフェンスが他方のフェンスに積み重ねられる場合、積み重ねられるフェンスの正面部品１の脚５およびその支持部６は、その下方のフェンスの正面部品１の水平突起２７の上に載る。また、積み重ねられるフェンスの背面部品２の支持脚は、その下方に位置するフェンスの背面部品２の水平突起２７の上に載る。
【００２０】
フェンスの囲まれた領域は、例えば、図３に示す符号２６の領域のように、そこに標識を設けるために使用できることが好ましい。
【００２１】
説明を補足するため、および本発明の特徴の理解を補助するため、より好ましい実施形態に基づいて、一組の図面が上記説明の必須部分として添付されている。図面では、実例となる非限定的な特徴とともに下記の事項が示されている。
【図面の簡単な説明】
【００２２】
【図１】本発明の対象によって実現された、包囲用および標識用組立てフェンスの分解斜視図である。
【図２】２つの部品が正しく組み立てられた状態における、上記と同一のフェンスの斜視図である。
【図３】上記フェンスの前方正面図である。
【図４】フェンス間の留め具の一方の詳細を示す平面図である。
【図５】平坦でない面、具体的には段差のある面における、フェンス間又はモジュール間の結合を示す概略図である。
【図６】平坦でない面、具体的には高低のある面における、フェンス間又はモジュール間の結合を示す概略図である。
【図７】２つの組立てフェンス間の結合の詳細を示す側面図である。
【図１】
2008504474.tif 000002
【図２】
2008504474.tif 000003
【図３】
2008504474.tif 000004
【図４】
2008504474.tif 000005
【図５】
2008504474.tif 000006
【図６】
2008504474.tif 000007
【図７】
2008504474.tif 000008
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
一組の脚として下部から伸びる２つの突起を有する垂直な正面部品と、
上記正面部品に対して傾斜する唯一の中心脚となる背面部品との２つの別個の部品から構成され、
上記部品は互いに分離可能に固定される包囲用および標識用組立てフェンスにおいて、
上記部品の少なくとも一方は、上記部品の他方と蝶つがいに連結される端部に合致する少なくとも１つの横の大入れを上部の横木に備え、
当該大入れには、さね及びネジ溝が設けられ、
当該さね及びネジ溝は、上記部品の他方の上辺から突出する補助突起と組み合わされ、
さらに、上記部品の両方の横木には、上記部品を組み合わせるための取り付けボルトを差し込むための、上記部品間で対向する縦の開口部が設けられることを特徴とする組立てフェンス。
【請求項２】
上記部品の少なくとも一方は、側面の少なくとも一方の上端に、内部に直角に湾曲するブラケットを有し、当該ブラケットは、２つの上記部品によって形成される２面角の隔板および補強材として機能することを特徴とする請求項１に記載の組立てフェンス。
【請求項３】
上記正面部品は、矩形の輪郭を備え、
当該輪郭は、上記脚を形成する上記下部突起を有することを特徴とする請求項１または２に記載の組立てフェンス。
【請求項４】
上記背面部品は、反転した等脚台形の形状であり、当該形状は、第３の足を形成する底辺を有することを特徴とする請求項１〜３のいずれか１項に記載の組立てフェンス。
【請求項５】
上記正面部品は、側面の一方に、その面から外側に突出する弾力性のある留め具を少なくとも１つ備えており、
さらに、上記正面部品は、上記側面と反対側の面に、かなり細長い垂直の棒を備えており、
一方のフェンスの止め具を、当該フェンスと隣接するフェンスの上記棒に嵌めることができるように、当該棒は、適当に配置された隔板によって上記正面部品から隔てられていることを特徴とする請求項１〜４のいずれか１項に記載の組立てフェンス。
【請求項６】
上記留め具は、テーパー状の隙間を有する枠を形成する２つの腕を備えており、
隣り合ったフェンス同士の高さを調節できるだけでなく、平坦でない地形においてフェンス間又はモジュール間の角度を変えることができるように、上記枠には縦溝が付いていることを特徴とする請求項５に記載の組立てフェンス。
【請求項７】
上部横木と隣り合う上記正面部品に、少なくとも１つのハウジングが設けられ、
当該ハウジングは、少なくとも１つの小さな穴を有しており、
当該穴には、電子掲示板によって制御される少なくとも１つの照明装置が設けられることを特徴とする請求項１〜６のいずれか１項に記載の組立てフェンス。
【請求項８】
上記照明装置は、少なくとも１つのＬＥＤから構成されることを特徴とする請求項７に記載の組立てフェンス。
【請求項９】
上記照明装置は、少なくとも１つのバッテリーによって給電されることを特徴とする請求項７に記載の組立てフェンス。
【請求項１０】
上記バッテリーは、上記ハウジングに格納されることを特徴とする請求項９に記載の組立てフェンス。
【請求項１１】
上記照明装置は、存在する周囲の光が十分であるかを検出するセンサを有していることを特徴とする請求項７に記載の組立てフェンス。
【請求項１２】
上記正面部品の脚は、風圧に対する上記フェンスの安定性を高める外部突起を底部に有していることを特徴とする請求項１〜１１のいずれか１項に記載の組立てフェンス。
【請求項１３】
上記２つの部品は、表面に空気を通す大きな穴を有する網目構造を備えていることを特徴とする請求項１〜１２のいずれか１項に記載の組立てフェンス。
【請求項１４】
上記部品は、いずれも外面に水平突起を備え、
当該水平突起は、上記側面の一方から上記側面の他方に向かって上記外面に沿って設けられていることを特徴とする請求項１〜１３のいずれか１項に記載の組立てフェンス。
【請求項１５】
上記部品は、いずれも射出成形によって製造されることを特徴とする請求項１〜１４のいずれか１項に記載の組立てフェンス。
【請求項１６】
上記部品は、いずれもプラスチック材料から製造されることを特徴とする請求項１〜１５のいずれか１項に記載の組立てフェンス。
【国際調査報告】
2008504474.tif 000009
2008504474.tif 000010
2008504474.tif 000011
2008504474.tif 000012
2008504474.tif 000013
2008504474.tif 000014